(57)【要約】【課題】  両刃仕様でかつ両刃駆動式のブレードを備えるヘッジトリマーにおいて、ブレードの反転使用を可能とする技術を提供する。【解決手段】  本体部に収容される電動モータによって回転駆動される第１および第２の偏心部材１２７，１２９と、第１および第２の偏心部材の偏心回転に基づき互いに逆方向に往復直線運動するように当該第１および第２の偏心部材にそれぞれ係合され、移動線を挟んで両側に切刃を有する第１および第２のブレード１４３，１４５と、第１および第２のブレードの移動を許容するように当該第１および第２のブレードを両側から挟着保持し、本体部に対して止着手段１６７を介して着脱可能に止着される２枚のガイドプレート１５１，１５３と、を有するヘッジトリマーにおいて、第１および第２のブレードは、同一形状に形成されるとともに、移動線を挟んで両側に位置する切刃の位置を変更するべく、移動線回りに反転させた状態で第１および第２の偏心部材に係合される構成とした。【選択図】  図３
2005295922.tif 000002
【特許請求の範囲】
【請求項１】
本体部と、
前記本体部に収容された電動モータと、
前記電動モータによって回転駆動される第１および第２の偏心部材と、
前記第１および第２の偏心部材の偏心回転に基づき互いに逆方向に往復直線運動するように当該第１および第２の偏心部材にそれぞれ係合されるとともに、移動線を挟んで両側に切刃を有する第１および第２のブレードと、
前記第１および第２のブレードの移動を許容するように当該第１および第２のブレードを両側から挟着保持するとともに、前記本体部に対し止着手段を介して着脱可能に止着される２枚のガイドプレートと、を有するヘッジトリマーであって、
前記第１および第２のブレードは、同一形状に形成されるとともに、前記移動線を挟んで両側に位置する切刃の位置を変更するべく、移動線回りに反転させた状態で前記第１および第２の偏心部材に係合される構成としたことを特徴とするヘッジトリマー。
【請求項２】
請求項１に記載のヘッジトリマーであって、
前記２枚のガイドプレートは、互いに同一形状に形成されるとともに、前記第１および第２のブレードと、各ブレードの移動を許容した状態で接合手段を介して一体化され、これにより第１および第２のブレードと、２枚のガイドプレートとからなるブレードアッセンブリーが構成されていることを特徴とするヘッジトリマー。
【請求項３】
請求項２に記載のヘッジトリマーであって、
前記２枚のガイドプレートの一端部は、それぞれが前記第１および第２の偏心部材が貫通する開口を有する取付部とされ、各取付部は、一方の開口を覆うように一方の取付部の外面側に配置されるカバープレートと共に取付ネジによる共締めによって前記本体部に止着される構成としたことを特徴とするヘッジトリマー。
【請求項４】
請求項３に記載のヘッジトリマーであって、
前記両取付部は、所定の間隙を置いて対向されるとともに、当該両取付部間には間隙を保持する段付リングが介在されており、前記段付リングは軸方向の端部が取付部の外面にそれぞれ突出されるとともに、その突出端部が前記カバープレートの位置決めピンとして供用される構成としたことを特徴とするヘッジトリマー。
【請求項５】
請求項３または４に記載のヘッジトリマーであって、
前記両取付部間には、プレート状のスペーサが介在されており、当該スペーサは、前記取付部間に位置して前記取付ネジで接合される厚肉部と、前記第１のブレードと第２のブレード間に挿入されて当該ブレードの移動を案内する薄肉部とを有することを特徴とするヘッジトリマー。
【発明の詳細な説明】
【技術分野】
【０００１】
本発明は、例えば生垣の刈り込みあるいは街路樹の剪定等の園芸作業に用いられるヘッジトリマーに関する。
【背景技術】
【０００２】
実公平４−４８６７７号公報（特許文献１）には、ヘッジトリマーに関する技術が開示されている。上記公報記載のヘッジトリマーは、駆動源である電動モータと、電動モータの回転を往復運動に変換する駆動機構と、駆動機構によって往復移動される櫛刃状の切刃を有する上下一対のブレードを有し、作業者が電源スイッチを操作して電動モータを通電駆動することによって上下のブレードを互いに逆方向（逆位相）に直線状に往復移動させ、生垣の刈り込み作業等を遂行する構成である。上記の構成は、上下のブレードをそれぞれ駆動する両刃駆動式であり、片刃駆動式に比べて高速で刈り込み作業を遂行することができる。
【０００３】
ところで、ヘッジトリマーに用いられるブレードとしては、移動線の片側に切刃を有する片刃仕様と、移動線を挟んで両側に切刃を有する両刃仕様とがある。両刃仕様の場合、左右の切刃を使い分けながら刈り込み作業を遂行できるという利便さを有する。しかしながら実際の刈り込み作業において、作業者は左右の切刃を均等に使用するとは限らず、使い勝手のよい方を集中的に使用する可能性があり、そのときは左右いずれか一方の切刃が片減りすることになる。このため、一方の切刃が摩耗したときには、移動線を挟んでブレードを反転（裏返し）して他方の切刃を使用できると好都合である。
【特許文献１】実公平４−４８６７７号公報
【発明の開示】
【発明が解決しようとする課題】
【０００４】
本発明は、上記の事情に鑑み、両刃仕様でかつ両刃駆動式のブレードを備えるヘッジトリマーにおいて、ブレードの反転使用を可能とする技術を提供することを目的とする。
【課題を解決するための手段】
【０００５】
上記課題を達成するため、各請求項記載の発明が構成される。
請求項１に記載の発明によれば、本体部と、本体部に収容された電動モータと、電動モータによって回転駆動される第１および第２の偏心部材と、第１および第２の偏心部材の偏心回転に基づき互いに逆方向に往復直線運動するように当該第１および第２の偏心部材にそれぞれ係合される第１および第２のブレードと、第１および第２のブレードの移動を許容するように当該第１および第２のブレードを両側から挟着保持する２枚のガイドプレートと、を有するヘッジトリマーが構成される。第１および第２のブレードは、移動線を挟んで両側に切刃を有する構成とされる。また２枚のガイドプレートは、本体部に対し止着手段を介して着脱可能に止着される構成とされる。かくして、両刃仕様でかつ両刃駆動式のブレードを有するヘッジトリマーが提供される。本発明における「偏心部材」としては、典型的には円板がこれに該当し、また「止着手段」としては、典型的には取付ネジがこれに該当する。
【０００６】
本発明に係るヘッジトリマーにおいては、特徴的構成として、第１および第２のブレードは、同一形状に形成されるとともに、移動線を挟んで両側に位置する切刃の位置を変更するべく、移動線回りに反転させた状態で第１および第２の偏心部材に係合される構成とされる。本発明によれば、両刃仕様でかつ両刃駆動式の係るヘッジトリマーにおいて、必要に応じて第１のブレードおよび第２のブレードを移動線回りに反転することによって切刃の位置を変えて使用することができる。このため、両側の切刃を有効に活用できることとなり、ブレードの無駄防止が達成される。
【０００７】
（請求項２に記載の発明）
請求項２に記載の発明によれば、請求項１に記載のヘッジトリマーにおいて、２枚のガイドプレートは、互いに同一形状に形成されるとともに、前記第１および第２のブレードと、各ブレードの移動を許容した状態で接合手段を介して一体化され、これにより第１および第２のブレードと、２枚のガイドプレートとからなるブレードアッセンブリーが構成されている。ここで「第１および第２のブレードの直線移動を許容する」態様としては、典型的には接合手段が第１および第２のブレードに貫設された移動線方向に延びる長孔を貫通する態様がこれに該当し、「接合」の態様としては、ボルトとナットを用いた接合、あるいはリベットを用いた接合を好適に包含する。
【０００８】
請求項２に記載の発明では、第１および第２のブレードと、２枚のガイドプレートとによってブレードアッセンブリーを構成している。かかる構成によれば、第１および第２のブレードと２枚のガイドプレートとを一体物として取り扱うことができるため、ブレードの切刃の位置を変更するための反転作業を容易に行うことができる。
【０００９】
（請求項３に記載の発明）
請求項３に記載の発明によれば、請求項２に記載のヘッジトリマーにおける２枚のガイドプレートの一端部は、それぞれが第１および第２の偏心部材が貫通する開口を有する取付部とされ、各取付部は、一方の開口を覆うように一方の取付部の外面側に配置されるカバープレートと共に取付ネジによる共締めによって本体部に止着される構成とされる。
上記構成によれば、本体部に止着した状態では、ガイドプレートの開口をカバープレートによって覆うことにより、刈り込み作業によって刈り取られた切断片が開口を通して内部に侵入することを防止できる。またカバープレートとガイドプレートの取付部とを取付ネジによる共締めによって本体部に止着する構成のため、それらを個別的に止着する構成に比べて止着作業を簡単に行うことができるとともに、部品点数も少なくて済む。
【００１０】
（請求項４に記載の発明）
請求項４に記載の発明によれば、請求項３に記載のヘッジトリマーにおいて、両取付部は、所定の間隙を置いて対向されるとともに、当該両取付部間には間隙を保持する段付リングが介在されており、段付リングは軸方向の端部が取付部の外面にそれぞれ突出されるとともに、その突出端部がカバープレートの位置決めピンとして供用される構成とされる。取付部間に介在された段付リングは、当該取付部を取付ネジによって本体部に止着する際、当該取付ネジの締め付けによる取付部の変形を抑え、これにより取付部の間隙を一定に保持して第１および第２のブレードの円滑な移動を保障する。また段付リングは、カバープレートの位置決めピンとして供用され、取付部に対するカバープレートの相対位置を決定できるため、位置決めピンを別途に設ける場合に比べて部品点数を削減できるとともに、カバープレートを取付部と共に取付ネジによって止着する際のネジ締め作業の簡便化を図ることができる。
【００１１】
（請求項５に記載の発明）
請求項５に記載の発明によれば、請求項３または４に記載のヘッジトリマーにおいて、両取付部間には、プレート状のスペーサが介在されており、当該スペーサは、取付部間に位置して取付ネジで接合される厚肉部と、第１のブレードと第２のブレード間に挿入されて当該ブレードの移動を案内する薄肉部とを有する構成とされる。スペーサの厚肉部は、取付部を取付ネジによって本体部に止着する際、当該取付ネジの締め付けによる取付部の変形を抑えることで当該取付部の間隙を一定に保持することができる。またスペーサの薄肉部は、第１および第２のブレードを移動可能に保持し、当該ブレードの第１および第２の偏心部材に対する安定した係合状態を保障する。
【発明の効果】
【００１２】
本発明によれば、両刃仕様でかつ両刃駆動式のブレードを備えるヘッジトリマーにおいて、ブレードの反転使用を可能とする技術が提供されることとなった。
【発明を実施するための最良の形態】
【００１３】
以下、本発明の実施の形態につき、図面を参照しつつ、詳細に説明する。まず本実施の形態に係るヘッジトリマー１００の全体構成につき図１〜図３を参照して説明する。図１はヘッジトリマー１００の全体構成を示す側断面図であり、図２はヘッジトリマー１００の底面側の構成を示す底面図であり、図３は駆動機構部としての運動変換機構１２０の構成を示す拡大断面図である。ヘッジトリマー１００のトリマー本体部１０１は、ハウジング１０３と、当該ハウジング１０３を挟んで前側（図１および図２の右側）に配置される前部ハンドル１０５および後側（図１および図２の左側）に配置される後部ハンドル１０７を主体に構成される。
【００１４】
ハウジング１０３内には、電動モータ１１１、当該電動モータ１１１の回転運動を直線運動に変換して後述する上部および下部のブレード１４３，１４５に伝達する運動変換機構１２０が収容配置されている。電動モータ１１１は、出力軸１１３を下側にした回転軸線が上下方向（縦向き）となるように配置されており、出力軸１１３の先端部（下端部）にはピニオン１１５が形成されている。
【００１５】
運動変換機構１２０は、出力軸１１３のピニオン１１５に噛み合い係合するとともに、支軸１２１を回転中心として水平面内を回転する従動ギア１２３と、当該従動ギア１２３の下面側に２本の接合ピン１２５を介して取り付けられたクランクカムとしての上下２枚の偏心円板１２７，１２９を主体に構成される。上記の上下の偏心円板１２７，１２９が本発明における「第１および第２の偏心部材」に対応する。上下の偏心円板１２７，１２９は、図２に示すように、互いの中心Ｐが従動ギア１２３の回転中心Ｑを挟んで対向する設定、すなわち互いに１８０度の位相差を有するように設定されている。そして上下の偏心円板１２７，１２９は、上下のブレード１４３，１４５の基部１４３ｃ、１４５ｃ（図１および図２の左側）に形成された長円孔１４３ｂ、１４５ｂ（図２参照）に対してそれぞれがスライド可能に係合されている。係る構成により、いわゆるクランク機構が構成され、上下の偏心円板１２７，１２９が回転されることで上下のブレード１４３，１４５が互いに逆方向（逆位相で）に水平直線往復運動を行う構成とされる。
【００１６】
上下２枚のブレード１４３，１４５と、上下２枚のガイドプレート１５１，１５３との組み合わせによりブレードアッセンブリー１４１が構成されており、このブレードアッセンブリー１４１は、ハウジング１０３の下面部（底面部）に形成されたブレードアッセンブリー装着部１１７にカバープレート１６５を介して取付ネジ１６７によって着脱自在に止着される構成とされる。このブレードアッセンブリー装着部１１７は、図２に示すように、ネジ孔１１８を有する４個の取付座１１９によって構成され、これらのネジ孔１１８付き取付座１１９が偏心円板１２７，１２９の回転中心Ｑ（支軸１２１）を取り囲むように配置される。なお上下の偏心円板１２７，１２９は、図３に示すように、ブレードアッセンブリー装着部１１７の取付座１１９（図２参照）よりも下方へ突出するよう設定されている。
【００１７】
上下のブレード１４３，１４５は、図４に示すように、移動線Ｘ（図４参照）を挟んで両側（左右）に櫛刃状の切刃１４７，１４９を有する両刃仕様であって、当該上下のブレード１４３，１４５を対として、移動線Ｘを回転中心に上下のガイドプレート１５１，１５３と共に反転（表裏反転）することで、左右の切刃１４７，１４９の位置を変更して使用できるよう構成される。以下、ブレード１４３，１４５の反転使用を可能とする構成につき、図４〜図７を参照しつつ説明する。上記の上部および下部のブレード１４３，１４５が本発明における「第１および第２のブレード」に対応する。
【００１８】
図４はブレードアッセンブリー１４１を示す平面図であり、図５はブレードアッセンブリー１４１をブレード１４３，１４５の移動線Ｘに沿って切断した断面図である。図６はブレードアッセンブリー１４１をブレードアッセンブリー装着部１１７に装着する際に用いられるカバープレート１６５を示す平面図であり、図７は同じくスペーサ１６９を示す平面図である。ブレードアッセンブリー１４１は、互いに上下に重なり合う２枚のブレード１４３，１４５と、それらブレード１４３，１４５を両側から挟着保持するべく（挟み込むように）上下の外側に配置される２枚のガイドプレート１５１，１５３とから構成されており、図１〜図３に示すように、ガイドプレート１５１，１５３の長手方向の一端部側（取付部）がブレードアッセンブリー装着部１１７に取付ネジ１６７によって止着される。上記の取付ネジ１６７が本発明における「止着手段」に対応する。
【００１９】
上下のブレード１４３，１４５は、互いに同一形状に形成された共通品であって、移動線Ｘを挟んで左右両側に切刃１４７，１４９を有する長板状のブレード本体部１４３ａ，１４５ａと、前記偏心円板１２７，１２９に係合可能な長円孔１４３ｂ、１４５ｂを有する基部１４３ｃ、１４５ｃからなる。基部１４３ｃ、１４５ｃは、ブレード本体部１４３ａ，１４５ａの切刃１４７，１４９の背側（重ね合わせ面の反対側）に所定の段差を有するように設定される。上下のブレード１４３，１４５は、ブレード本体部１４３ａ，１４５ａが切刃１４７，１４９の腹側が互いに摺接するように重ね合わせられる。従って、上下の基部１４３ｃ、１４５ｃ間には前記段差の２倍の間隙が形成される。この間隙は、ブレードアッセンブリー１４１をブレードアッセンブリー装着部１１７に止着した状態において、基部１４３ｃ、１４５ｃと偏心円板１２７，１２９の係合が互いの板厚方向の中央部で行われるような寸法に設定されている。
【００２０】
上下のガイドプレート１５１，１５３は、互いに同一形状に形成された共通品であって、ブレード１４３，１４５のブレード本体部１４３ａ，１４５ａに重なるガイド部１５１ａ，１５３ａと、ブレード１４３，１４５の基部１４３ｃ、１４５ｃに重なる取付部１５１ｂ、１５３ｂとから構成される。取付部１５１ｂ、１５３ｂは、ガイド部１５１ａ，１５３ａの外側に、ブレード１４３，１４５のブレード本体部１４３ａ，１４５ａと基部１４３ｃ、１４５ｃ間の段差と等しい大きさ（高さ）の段差を有するように設定される。上下のガイドプレート１５１，１５３は、上下のブレード１４３，１４５の外面（上下面）に重ねた状態で、ブレード１４３，１４５の移動線方向におけるガイド部１５１ａ，１５３ａの複数箇所を当該ブレード１４３，１４５の移動を許容するように接合手段によって接合される。
【００２１】
なお接合手段は、上下のガイドプレート１５１，１５３間に介在されるスリーブ１５５と、ガイドプレート１５１，１５３および当該スリーブ１５５を貫通するネジ（ボルト）１５７と、当該ネジ１５７に締結されるナット１５９から構成され、スリーブ１５５がブレード本体部１４３ａ，１４５ａに形成された移動線Ｘ方向に延びる長孔１４３ｄ，１４５ｄに対し相対的に摺動自在に貫通される。これにより上下のガイドプレート１５１，１５３は、ブレード１４３，１４５の移動を許容する形態で互いに接合される。
【００２２】
上下のガイドプレート１５１，１５３の取付部１５１ｂ，１５３ｂは、ブレード１４３，１４５の基部１４３ｃ、１４５ｃを被覆する平面広さを有する平面視で概ね方形状に形成されるとともに、偏心円板１２７，１２９が貫通可能な開口１５１ｃ、１５３ｃを有している。これにより、取付部１５１ｂ、１５３ｂをハウジング１０３のブレードアッセンブリー装着部１１７の取付座１１９に突き当てたとき、偏心円板１２７，１２９が上側の開口１５１ｃを通してブレード１４３，１４５の基部１４３ｃ、１４５ｃの長円孔１４３ｂ、１４５ｂに係合される構成とされる。
【００２３】
また上下の取付部１５１ｂ、１５３ｂには、開口１５１ｃ、１５３ｃを挟んで一方（ガイド部１５１ａ，１５３ａとの連接側）には、２個の段付リング１６１が保持され、他方には２個の取付孔１６３が設けられ、これら段付リング１６１と取付孔１６３は、前述したブレードアッセンブリー装着部１１７における各取付座１１９のネジ孔１１８に対応する位置に設定されている。なお段付リング１６１は、取付ネジ１６７が挿通可能な通し孔を有するともに、上下両端部が上下の取付部１５１ｂ，１５３ｂの外面（上面および下面）にカバープレート１６５の板厚分突出されている。
【００２４】
カバープレート１６５は、図６に示すように、ガイドプレート１５１，１５３の取付部１５１ｂ，１５３ｂの外形と概ね同形の方形状に形成され、一側には段付リング１６１の突出部が嵌合可能な円孔１６５ａを有し、他側に取付ネジ１６７が挿通可能な２個の取付孔１６５ｂを有し、さらに中央には支軸１２１の端部（下端部）を支持する円孔１６５ｃを有する。ガイドプレート１５１，１５３の取付部１５１ｂ，１５３ｂをブレードアッセンブリー装着部１１７の取付座１１９に取付ネジ１６７によって止着する際、カバープレート１６５は、ガイドプレート１５１，１５３の下側の取付部１５３ｂに被せられ、取付座１１９に共締めされる。このとき、カバープレート１６５に設けた２個の円孔１６５ａが段付リング１６１の突出部に嵌合することで位置決めされる構成とされる。
【００２５】
またガイドプレート１５１，１５３の取付部１５１ｂ，１５３ｂを取付ネジ１６７によって止着する際、上下の取付部１５１ｂ，１５３ｂ間の取付孔１６３側には、スペーサ１６９が介在される構成とされる。スペーサ１６９は、図７に示すように、上下の取付部１５１ｂ，１５３ｂに位置する厚肉部１６９ａと、上下のブレード１４３，１４５の基部１４３ｃ、１４５ｃ間に挿入される薄肉部１６９ｂとからなり、厚肉部１６９ａの板厚は、取付部１５１ｂ、１５３ｂの間隙寸法と等しく設定され、これにより取付ネジ１６７による締め付け時の変形が防止される。一方、基部１４３ｃ、１４５ｃ間に挿入される薄肉部１６９ｂは、当該基部１４３ｃ、１４５ｃが安定した状態で移動するように保持する。
【００２６】
本実施の形態に係るヘッジトリマー１００は、上述のように上下のブレード１４３，１４５が移動線Ｘを挟んで両側に切刃１４７，１４９を有する両刃仕様であり、かつ上下のブレード１４３，１４５がそれぞれ駆動される両刃駆動式である。図１に示すように、後部ハンドル１０７には、電動モータ１１１を起動または停止する電源スイッチ（図示省略）を操作するトリガ１０９設けられ、当該トリガ１０９の引き操作によって電源スイッチが投入（オン）され、これにより電動モータ１１１が通電駆動される。電動モータ１１１の駆動により、従動ギア１２３と共に上下の偏心円板１２７，１２９が水平面内を回転運動され、上下のブレード１４３，１４５は、互いに逆方向（逆位相で）に水平直線往復運動を行い、上側のブレード１４３の切刃１４７と、下側のブレード１４５の切刃１４９間に被切断物としての枝葉を挟んで切断することができる。
【００２７】
さて、本実施の形態に係るヘッジトリマー１００では、上下のブレード１４３，１４５を同一形状に形成するとともに、上下のガイドプレート１５１，１５３を同一形状に形成することによって、ブレードアッセンブリー１４１の反転使用を可能としたものである。従って、例えば、移動線Ｘを挟んで一方の切刃１４７，１４９を集中的に使用して刈り込み作業を遂行することに伴い、当該一方の切刃１４７，１４９の切れ味が低下したような場合には、取付ネジ１６７を外し、カバープレート１６５およびブレードアッセンブリー１４１をハウジング１０３のブレードアッセンブリー装着部１１７から一旦、離脱する。次にブレードアッセンブリー１４１をブレード１４３，１４５の移動線Ｘを回転中心にして上下反転し、その状態でブレードアッセンブリー装着部１１７に向って移動させ、上下の偏心円板１２７，１２９を反転後の上側のガイドプレート１５３の開口に貫通させるとともに、上下のブレード１４３，１４５の長円孔１４３ｂ、１４５ｂに係合させる。その後、反転後の下側のガイドプレート１５１の取付部１５１ｂにカバープレート１６５を被せるとともに、取付ネジ１６７による共締めによって止着する。
【００２８】
かくして、ブレード１４３，１４５の左右の切刃１４７，１４９の位置を変更することができる。すなわち、本実施の形態によれば、移動線Ｘを挟んで左右両側の切刃１４７，１４９の位置を変えて使用することができる。これにより、両側の切刃１４７，１４９を有効に活用でき、ブレード１４３，１４５の無駄防止が達成される。作業者はブレード１４３，１４５の両方の切刃１４７，１４９を利き手に応じた使い勝手のよい向きで使用できるため、作業能率のアップが図られる。また上下のブレード１４３，１４５は互いに同一形状の共通品であり、また上下のガイドプレート１５１，１５３も互いに同一形状の共通品であるため、成形型（プレス成型）がそれぞれ１個あればよく、製作コストを低減する上で有効となる。
【００２９】
また本実施の形態では、上下のブレード１４３，１４５と、上下のガイドプレート１５１，１５３とによってブレードアッセンブリー１４１を構成し、それらを一体物として取り扱うことができるため、ブレード１４３，１４５の切刃１４７，１４９の位置を変更するための反転作業を容易に行うことができる。また本実施の形態では、下側のガイドプレート１５３の開口１５３ｃをカバープレート１６５によって覆うことにより、刈り込み作業によって刈り取られた切断片が開口１５３ｃを通して内部に侵入することを防止できる。またカバープレート１６５とガイドプレート１５１，１５３の取付部１５１ｂ、１５３ｂとを取付ネジ１６７による共締めによってブレードアッセンブリー装着部１１７に止着する構成のため、それらを個別的に止着する構成に比べて止着作業を簡単に行うことができるとともに、部品点数も少なくて済む。
【００３０】
さらには、本実施の形態では、上下のガイドプレート１５１，１５３の取付部１５１ｂ、１５３ｂ間に段付リング１６１およびスペーサ１６９を介在したことにより、取付部１５１ｂ、１５３ｂを取付ネジ１６７によってブレードアッセンブリー装着部１１７に止着する際、当該取付ネジ１６７の締め付けによる取付部１５１ｂ、１５３ｂの変形を抑え、これにより当該取付部１５１ｂ、１５３ｂの間隔を一定に保持して上下のブレード１４３，１４５の円滑な移動を保障する。
【００３１】
また本実施の形態では、段付リング１６１は、カバープレート１６５の位置決めピンとして供用される構成のため、部品点数を削減できるとともに、カバープレート１６５を止着する際のネジ締め作業の簡便化を図ることができる。スペーサ１６９は、薄肉部１６９ｂが上下のブレード１４３，１４５の基部１４３ｃ、１４５ｃ間に挿入され、それら基部１４３ｃ、１４５ｃの移動を案内するスライドガイド部として機能する構成のため、当該基部１４３ｃ、１４５ｃを安定状態に保持し、延いては上下のブレード１４３，１４５の円滑な移動を保障する。
【００３２】
なお本実施の形態は、ブレード１４３，１４５とガイドプレート１５１，１５３とが一体化されたブレードアッセンブリー１４１の場合で説明したが、ガイドプレート１５１，１５３については反転することなく使用し、ブレード１４３，１４５のみを反転使用できるように構成してもよい。また止着手段として、取付ネジ１６７以外のものを用いても差し支えない。
【図面の簡単な説明】
【００３３】
【図１】本実施の形態に係るヘッジトリマーの全体構成を示す側断面図である。
【図２】同じくヘッジトリマーの底面図である。
【図３】ヘッジトリマーの駆動部の構成を示す断面図である。
【図４】ブレードアッセンブリーを示す平面図である。
【図５】ブレードアッセンブリーを移動線Ｘに沿って切断して示す断面図である。
【図６】カバープレートを示す平面図である。
【図７】スペーサを示す平面図である。
【符号の説明】
【００３４】
１００  ヘッジトリマー
１０１  トリマー本体部
１０３  ハウジング
１０５  前部ハンドル
１０７  後部ハンドル
１０９  トリガ
１１１  電動モータ
１１３  出力軸
１１５  ピニオン
１１７  ブレードアッセンブリー装着部
１１８  ネジ孔
１１９  取付座
１２０  運動変換機構
１２１  支軸
１２３  従動ギア
１２５  接合ピン
１２７，１２９  上下の偏心円板
１４１  ブレードアッセンブリー
１４３，１４５  上下のブレード
１４３ａ，１４５ａ  ブレード本体部
１４３ｂ，１４５ｂ  長円孔
１４３ｃ，１４５ｃ  基部
１４３ｄ，１４５ｄ  長孔
１４７，１４９  切刃
１５１，１５３  上下のガイドプレート
１５１ａ，１５３ａ  ガイド部
１５１ｂ，１５３ｂ  取付部
１５１ｃ，１５３ｃ  開口
１５５  スリーブ
１５７  ネジ
１５９  ナット
１６１  段付リング
１６３  取付孔
１６５  カバープレート
１６５ａ  円孔
１６５ｂ  取付孔
１６５ｃ  中央の円孔
１６７  取付ネジ
１６９  スペーサ
１６９ａ  厚肉部
１６９ｂ  薄肉部
Ｐ  偏心円板の中心
Ｑ  偏心円板の回転中心
Ｘ  ブレードの移動線
【図１】
2005295922.tif 000003
【図２】
2005295922.tif 000004
【図３】
2005295922.tif 000005
【図４】
2005295922.tif 000006
【図５】
2005295922.tif 000007
【図６】
2005295922.tif 000008
【図７】
2005295922.tif 000009